(57)【要約】【課題】種々のサービスを提供可能なエレベータ利用システムを実現する。【解決手段】エレベータ利用システム（２００）は、識別情報を記憶したスマートフォン（１）と、エレベータの運転状況を監視するエレベータシステム（２）と、エレベータを利用した事象を検知する利用情報取得部（１０８）と、の識別情報とエレベータの利用情報とを対応付けて記憶するエレベータ利用記録データベース（１１０）とを備える。【選択図】図１
2020121852.tif 000002
【特許請求の範囲】
【請求項１】
エレベータを利用する利用者が携帯可能であり、自機の識別情報を記憶した複数の情報処理端末と、
前記エレベータの運転状況を監視するエレベータ監視部と、
前記情報処理端末を携帯する利用者が前記エレベータを利用したとみなせる事象を検知する利用検知部と、
前記利用検知部による利用検知に基づき、前記エレベータを利用したとみなされた利用者に関し、当該利用者の携帯する前記情報処理端末の識別情報と、前記運転状況に基づき生成される当該利用者によるエレベータの利用状況を示す利用情報とを対応付けて記憶する記憶部とを備える、
エレベータ利用システム。
【請求項２】
前記利用情報は、利用者のエレベータへの搭乗時刻、出発階及び行先階を示す情報を含む、請求項１に記載のエレベータ利用システム。
【請求項３】
前記利用情報は、行先階に位置するものとして予め登録された１つ又は複数の行先候補地のうちの何れに利用者が行ったかを示す情報を含む、請求項２に記載のエレベータ利用システム。
【請求項４】
前記利用情報は、利用者が呼び登録を行った時刻、又は利用者が呼び登録を行った時刻から搭乗時刻までの待ち時間を示す情報を含む、請求項１から３の何れか１項に記載のエレベータ利用システム。
【請求項５】
前記記憶部は、前記複数の情報処理端末それぞれに関し、前記識別情報と前記利用者の属性情報とを対応付けて記憶する、請求項１から４の何れか１項に記載のエレベータ利用システム。
【請求項６】
前記利用情報に基づき、特定時刻において前記エレベータに搭乗中の利用者に対応する識別情報を抽出する搭乗抽出部を備える、請求項１から５の何れか１項に記載のエレベータ利用システム。
【請求項７】
前記情報処理端末は通信機能を有し、
前記情報処理端末と通信可能な通信部を備える、請求項１から６の何れか１項に記載のエレベータ利用システム。
【請求項８】
エレベータを利用する利用者が携帯する、自機の識別情報を記憶した情報処理端末への入力に基づき、エレベータを利用したとみなされた利用者に関し、当該利用者の携帯する前記情報処理端末の識別情報と、前記エレベータの運転状況に基づき生成される当該利用者によるエレベータの利用状況を示す利用情報とを取得し、当該識別情報と当該利用情報とを対応付けて記憶する、
記憶装置。
【請求項９】
自機の識別情報を記憶した情報処理端末を携帯する、エレベータを利用する利用者が前記エレベータを利用したとみなせる事象を検知する利用検知部と、
前記利用検知部による利用検知に基づき、エレベータを利用したとみなされた利用者に関し、当該利用者の携帯する前記情報処理端末の識別情報と、前記エレベータの運転情報に基づき生成される当該利用者によるエレベータの利用状況を示す利用情報とを対応付けて、記憶装置に送信する送信部と、を備える、
情報処理装置。
【請求項１０】
エレベータを利用する利用者が携帯可能であり、自機の識別情報を記憶した情報処理端末への入力に基づき、実行されるプログラムであって、
前記情報処理端末を携帯する利用者が前記エレベータを利用したとみなせる事象を検知するステップと、
前記検知するステップにおける利用検知に基づき、エレベータを利用したとみなされた利用者に関し、当該利用者の携帯する前記情報処理端末の識別情報と、前記エレベータの運転情報に基づき生成される当該利用者によるエレベータの利用状況を示す利用情報とを対応付けて、記憶装置に送信するステップと、を実行させる、
プログラム。
【発明の詳細な説明】
【技術分野】
【０００１】
本発明は、エレベータシステム、エレベータを利用する利用者が携帯可能であり、当該エレベータシステムと無線通信可能な情報処理端末、および情報を記憶する情報記憶装置を含むエレベータ利用システムなどに関する。
【背景技術】
【０００２】
エレベータを制御するエレベータシステムと無線通信を行い、処理を実行する情報処理端末が従来技術として知られている。非特許文献１には、該無線通信により、複数のエレベータのうち、利用者が乗るべきエレベータを示す情報を画面に表示するスマートフォンのアプリケーションが開示されている。
【先行技術文献】
【非特許文献】
【０００３】
【非特許文献１】ＫＯＮＥ、“factsheet-kone-remotecall_tcm153-18641”,［online］、［２０１８年９月２０日検索］、インターネット＜https://www.kone.hk/en/Images/factsheet-kone-remotecall_tcm153-18641.pdf＞
【発明の概要】
【発明が解決しようとする課題】
【０００４】
上述したスマートフォンのアプリケーションでは、利用者の入力（出発階、行先階等）に基づいて、利用者が乗るべきエレベータの情報を提供している。しかし、利用者の入力情報やエレベータの利用情報は、利用価値が高く、利用者が乗るべきエレベータの情報を提供するのみでなく、様々な利用形態が考えられる。
【０００５】
本発明は、上記に鑑みてなされたものであり、その目的は、種々のサービスを提供可能なエレベータ利用システムなどを実現することにある。
【課題を解決するための手段】
【０００６】
上記課題を解決するために、本発明の一態様に係るエレベータ利用システムは、エレベータを利用する利用者が携帯可能であり、自機の識別情報を記憶した複数の情報処理端末と、前記エレベータの運転状況を監視するエレベータ監視部と、前記情報処理端末を携帯する利用者が前記エレベータを利用したとみなせる事象を検知する利用検知部と、前記利用検知部による利用検知に基づき、前記エレベータを利用したとみなされた利用者に関し、当該利用者の携帯する前記情報処理端末の識別情報と、前記運転状況に基づき生成される当該利用者によるエレベータの利用状況を示す利用情報とを対応付けて記憶する記憶部とを備える構成である。
【０００７】
上記の構成によれば、利用者の携帯する情報処理端末の識別情報と当該利用者によるエレベータの利用状況を示す利用情報とが応付けて記憶されるので、利用者毎にエレベータの利用履歴を蓄積しておくことができる。これにより、蓄積された情報に基づく種々のサービスを提供することができる。
【０００８】
本発明の一態様に係るエレベータ利用システムでは、前記利用情報は、利用者のエレベータへの搭乗時刻、出発階及び行先階を示す情報を含むものであってもよい。
【０００９】
上記の構成によれば、利用情報に、利用者のエレベータへの搭乗時刻、出発階及び行先階を示す情報が含まれるので、時間帯別にエレベータにおける出発階から行先階までの交通量（混雑度合い）を把握することができる。
【００１０】
本発明の一態様に係るエレベータ利用システムでは、前記利用情報は、行先階に位置するものとして予め登録された１つ又は複数の行先候補地のうちの何れに利用者が行ったかを示す情報を含むものであってもよい。
【００１１】
上記の構成によれば、利用情報に、行先階に位置するものとして予め登録された１つ又は複数の行先候補地のうちの何れに利用者が行ったかを示す情報が含まれるので、行先候補地毎の交通量（利用者の量）を把握することができる。ここで、行先候補地とは、例えば、当該階に存在するテナント等である。
【００１２】
本発明の一態様に係るエレベータ利用システムでは、前記利用情報は、利用者が呼び登録を行った時刻、又は利用者が呼び登録を行った時刻から搭乗時刻までの待ち時間を示す情報を含むものであってもよい。
【００１３】
上記の構成によれば、利用情報に、利用者が呼び登録を行った時刻、又は利用者が呼び登録を行った時刻から搭乗時刻までの待ち時間を示す情報を含むので、待ち時間の分布を把握することができる。
【００１４】
本発明の一態様に係るエレベータ利用システムでは、前記記憶部は、前記複数の情報処理端末それぞれに関し、前記識別情報と前記利用者の属性情報とを対応付けて記憶するものであってもよい。
【００１５】
上記の構成によれば、記憶部には、複数の情報処理端末それぞれに関し、識別情報と利用者の属性情報とを対応付けて記憶されているので、属性毎の利用者の交通量（利用者数）を把握することができる。ここで、利用者の属性とは、例えば、当該利用者の所属企業、当該利用者がＶＩＰであるか否か、当該利用者が障害を持っている者であるか否か等である。
【００１６】
本発明の一態様に係るエレベータ利用システムでは、前記利用情報に基づき、特定時刻において前記エレベータに搭乗中の利用者に対応する識別情報を抽出する搭乗抽出部を備えるものであってもよい。
【００１７】
上記の構成によれば、利用情報に基づき、特定時刻においてエレベータに搭乗中の利用者に対応する識別情報を抽出することができるので、例えば地震等の災害時により停止したエレベータに搭乗中の利用者を特定することができる。
【００１８】
本発明の一態様に係るエレベータ利用システムでは、前記情報処理端末は通信機能を有し、前記情報処理端末と通信可能な通信部を備えるものであってもよい。
【００１９】
上記の構成によれば、情報処理端末は通信機能を有し、エレベータ利用システムは情報処理端末と通信可能な通信部を備えるので、例えば災害時やいたずら警告のために利用者の情報処理端末と通信することができる。
【００２０】
上記課題を解決するために、本発明の一態様に係る記憶装置は、エレベータを利用する利用者が携帯する、自機の識別情報を記憶した情報処理端末への入力に基づき、エレベータを利用したとみなされた利用者に関し、当該利用者の携帯する前記情報処理端末の識別情報と、前記エレベータの運転状況に基づき生成される当該利用者によるエレベータの利用状況を示す利用情報とを取得し、当該識別情報と当該利用情報とを対応付けて記憶する構成である。
【００２１】
上記の構成によれば、利用者の携帯する情報処理端末の識別情報と当該利用者によるエレベータの利用状況を示す利用情報とが応付けて記憶されるので、利用者毎にエレベータの利用履歴を蓄積しておくことができる。これにより、蓄積された情報に基づく種々のサービスを提供することができる。
【００２２】
上記の課題を解決するために、本発明の一態様に係る情報処理装置は、自機の識別情報を記憶した情報処理端末を携帯する、エレベータを利用する利用者が前記エレベータを利用したとみなせる事象を検知する利用検知部と、前記利用検知部による利用検知に基づき、エレベータを利用したとみなされた利用者に関し、当該利用者の携帯する前記情報処理端末の識別情報と、前記エレベータの運転情報に基づき生成される当該利用者によるエレベータの利用状況を示す利用情報とを対応付けて、記憶装置に送信する送信部と、を備える構成である。
【００２３】
上記の構成によれば、利用者の携帯する情報処理端末の識別情報と当該利用者によるエレベータの利用状況を示す利用情報とが応付けて記憶されるので、利用者毎にエレベータの利用履歴を蓄積しておくことができる。これにより、蓄積された情報に基づく種々のサービスを提供することができる。
【００２４】
上記の課題を解決するために、本発明の一態様に係るプログラムは、エレベータを利用する利用者が携帯可能であり、自機の識別情報を記憶した情報処理端末への入力に基づき、実行されるプログラムであって、前記情報処理端末を携帯する利用者が前記エレベータを利用したとみなせる事象を検知するステップと、前記検知するステップにおける利用検知に基づき、エレベータを利用したとみなされた利用者に関し、当該利用者の携帯する前記情報処理端末の識別情報と、前記エレベータの運転情報に基づき生成される当該利用者によるエレベータの利用状況を示す利用情報とを対応付けて、記憶装置に送信するステップと、を実行させる構成である。
【００２５】
上記の構成によれば、利用者の携帯する情報処理端末の識別情報と当該利用者によるエレベータの利用状況を示す利用情報とが応付けて記憶されるので、利用者毎にエレベータの利用履歴を蓄積しておくことができる。これにより、蓄積された情報に基づく種々のサービスを提供することができる。
【発明の効果】
【００２６】
本発明の一態様によれば、利用者の携帯する情報処理端末の識別情報と当該利用者によるエレベータの利用状況を示す利用情報とが応付けて記憶されるので、利用者毎にエレベータの利用履歴を蓄積しておくことができる。これにより、蓄積された情報に基づく種々のサービスを提供することができるという効果を奏する。
【図面の簡単な説明】
【００２７】
【図１】本発明の実施形態に係るスマートフォンの要部構成の一例を示すブロック図である。
【図２】本実施形態に係るエレベータ利用システムの全体概要を示す図である。
【図３】上記スマートフォンが実行する処理の流れの一例を示すフローチャートである。
【図４】プログラム選択処理の流れの一例を示すフローチャートである。
【図５】エレベータ利用履歴の一例を示す図である。
【図６】エレベータ利用履歴システムにおける処理の流れを示すフローチャートである。
【図７】本発明の他の実施形態に係るエレベータ利用システムの全体概要を示す図である。
【発明を実施するための形態】
【００２８】
〔実施形態１〕
以下、本発明の一実施形態について説明する。
【００２９】
〔全体概要〕
まず、図２を参照して本実施形態の全体概要について説明する。図２は、本実施形態に係るエレベータ利用システム２００の全体概要を示す図である。
【００３０】
図２に示すように、本実施形態に係るエレベータ利用システム２００は、スマートフォン（情報処理端末、情報処理装置）１およびエレベータ情報データベース１００を含み、さらに、スマートフォン１による操作対象となるエレベータシステム（エレベータ監視部）２（第１エレベータシステム２Ａ、第２エレベータシステム２Ｂ、第３エレベータシステム２Ｃ、第４エレベータシステム２Ｄ）を含む。なお、エレベータシステムは全てのものを含む必要は無く、操作対象となるエレベータシステムのみを含めばよい。
【００３１】
本実施形態に係るスマートフォン１には、後述するエレベータ選択アプリケーションがインストールされており、当該アプリケーションの機能の１つを実行するために必要なエレベータ情報をエレベータ情報データベース１００から取得し、当該機能を実行するものである。
【００３２】
また、エレベータ利用システム２００では、スマートフォン１を所持した利用者によるエレベータの利用状況がエレベータ利用記録データベース１１０（記憶部、記憶装置）に記録される。詳細は後述するが、エレベータ利用記録データベース１１０には、スマートフォン１の識別情報とエレベータの利用状況とが対応付けて記録されている。エレベータ利用システム２００では、エレベータ利用記録データベース１１０を用いることにより、様々なサービスを提供可能となる。
【００３３】
（スマートフォン１の詳細）
本実施形態に係るスマートフォン１は、利用者が所持するスマートフォンであり、図２に示すように、エレベータシステム２と無線通信を行う。一例として、スマートフォン１は、エレベータシステム２のいずれかと無線通信を行うことにより、複数のエレベータのうちの利用者が乗るべきエレベータを利用者に通知する、エレベータ選択処理を実行する。スマートフォン１は、例えば、利用者の入力操作によって、所定のアプリケーション（後述するエレベータ選択アプリケーションプログラム１３０）を起動することにより、エレベータ選択処理を実行可能となる。
【００３４】
スマートフォン１は、図１に示すように、制御部１０、入力部１１（操作入力部）、表示部１２、記憶部１３、および通信部１４を備える。
【００３５】
制御部１０は、スマートフォン１を統括的に制御する。入力部１１は、ユーザの入力操作を受け付けるハードウェアである。表示部１２は、ユーザの入力操作に基づいて生成された各種画像を表示するハードウェアである。一例として、入力部１１および表示部１２は、タッチスクリーンとして一体となっていてもよい。記憶部１３は、スマートフォン１が使用するプログラムおよびデータを永続的に保持するハードウェアであり、ストレージと表現することもできる。記憶部１３は、例えば、ＲＯＭ（Read-Only  Memory）、ハードディスク装置、フラッシュメモリ、その他の不揮発記憶装置として実現される。通信部１４は、無線通信により、スマートフォン１の外部の装置と情報の送受信を行うハードウェアである。外部の装置は、例えば、上述したエレベータシステム２、エレベータ情報データベース１００、およびエレベータ利用記録データベース１１０である。入力部１１および表示部１２は、入出力インターフェースと表現することもできる。通信部１４は、通信インターフェースと表現することもできる。
【００３６】
制御部１０は、表示制御部１０１、プログラム選択部１０２、処理実行部１０３、通信処理部１０４、および利用情報取得部（利用検知部）１０８を含んでいる。記憶部１３は、少なくとも、エレベータ選択アプリケーションプログラム１３０を記憶している。なお、以降、エレベータ選択アプリケーションプログラム１３０を「エレベータ選択アプリ１３０」と記載する。エレベータ選択アプリ１３０は、共通操作画面生成プログラム１３１、および、エレベータ選択プログラム１３３を含んでいる。
【００３７】
図示してはいないが、スマートフォン１は、制御部１０および記憶部１３を実現するためのハードウェア構成として、さらに、プロセッサおよびメモリを備えている。
【００３８】
プロセッサは、スマートフォン１に与えられる信号に基づいて、あるいは、予め定められた条件が成立したことに基づいて、メモリまたは記憶部１３に格納されているプログラムに含まれる一連の命令を実行する。プロセッサは、一例として、ＣＰＵ（Central  Processing  Unit）、ＧＰＵ（Graphics  Processing  Unit）、ＭＰＵ（Micro  Processor  Unit）、ＦＰＧＡ（Field-Programmable  Gate  Array）その他のデバイスとして実現される。
【００３９】
メモリは、プログラムおよびデータを一時的に保存する。プログラムは、例えば、記憶部１３からロードされる。データは、コンピュータに入力されたデータと、プロセッサによって生成されたデータとを含む。メモリは、一例として、ＲＡＭ（Random  Access  Memory）その他の揮発メモリとして実現される。
【００４０】
一例として、プロセッサは、記憶部１３にアクセスし、記憶部１３に格納されているプログラム（例えば、エレベータ選択アプリ１３０）をメモリにロードし、当該プログラムに含まれる一連の命令を実行する。これにより、制御部１０に含まれている各部が構成される。なお、以降、エレベータ選択アプリ１３０をメモリにロードすることを、「エレベータ選択アプリ１３０を起動する」と称する場合がある。
【００４１】
記憶部１３は、メモリカードのように着脱可能な記憶装置として実現されてもよい。また、スマートフォン１に内蔵されたストレージの代わりに、外部の記憶装置に保存されているプログラムおよびデータを使用する構成が使用されてもよい。この構成の場合、スマートフォン１は、例えば、外部の記憶装置と無線通信を行うことにより、自機においてエレベータ選択アプリ１３０を起動する。
【００４２】
なお、制御部１０は、集積回路（ＩＣチップ）等に形成された論理回路（ハードウェア）によって実現してもよい。
【００４３】
表示制御部１０１は、利用者の入力操作に基づいて各種画像を生成し、表示部１２に表示させる。表示制御部１０１は、操作画面生成部１０５（画面生成部）および通知部１０６を含む。
【００４４】
操作画面生成部１０５は、利用者に入力操作を行わせるための操作画面を生成する。一例として、操作画面生成部１０５は、エレベータ選択アプリ１３０が起動されたことに伴い、操作画面を生成する。なお、操作画面生成部１０５は、共通操作画面生成プログラム１３１がメモリにロードされることにより構成される。一例として、操作画面は利用者がエレベータに乗る出発階、および、利用者がエレベータを降りる行先階の入力を受け付けるユーザーインターフェース（以下、「ＵＩ」と記載する）を含んでいてもよい。また、通知部１０６の詳細については後述する。
【００４５】
プログラム選択部１０２は、利用者の入力操作に基づき、エレベータ選択処理を実行するためのプログラムを選択する。一例として、プログラム選択部１０２は、入力された出発階および行先階を示す情報と、記憶部１３に記憶されているエレベータ情報１３２とに基づき、エレベータ選択プログラム１３３に含まれるプログラムを選択する。
【００４６】
ここで、エレベータ選択プログラム１３３の詳細について説明する。エレベータ選択プログラム１３３は、例えば、第１プログラム、第２プログラム、第３プログラム、第４プログラム（いずれも不図示）を含んでいる。
【００４７】
一例として、第１プログラムは、Ａ社によって作成されたプログラムであり、第１エレベータシステム２Ａと通信し、エレベータ選択処理を実行するためのプログラムである。また、第２プログラムは、Ｂ社によって作成されたプログラムであり、第２エレベータシステム２Ｂと通信し、エレベータ選択処理を実行するためのプログラムである。また、第３プログラムは、Ｃ社によって作成されたプログラムであり、第３エレベータシステム２Ｃと通信し、エレベータ選択処理を実行するためのプログラムである。また、第４プログラムは、Ｄ社によって作成されたプログラムであり、第４エレベータシステム２Ｄと通信し、エレベータ選択処理を実行するためのプログラムである。
【００４８】
なお、各社が共通のエレベータ選択プログラムを用いるなどの場合、エレベータ選択プログラムは１つであってよい。この場合、スマートフォン１のプロセッサは、エレベータ選択アプリ１３０の起動に伴い、該エレベータ選択プログラムをメモリにロードし、処理実行部１０３を構成すればよい。
【００４９】
処理実行部１０３は、エレベータ選択アプリ１３０の主たる機能である、エレベータ選択処理を実行する。処理実行部１０３は、エレベータ選択プログラム１３３のうちのいずれかがメモリにロードされることにより構成される。
【００５０】
なお、スマートフォン１は、エレベータ選択アプリ１３０の起動に伴い、すべてのエレベータ選択プログラムをメモリにロードし、エレベータ選択プログラムそれぞれに対応する複数の処理実行部を構成してもよい。この場合、プログラム選択部１０２は、構成された処理実行部のうち、適切なものを選択する。
【００５１】
処理実行部１０３は、対応する通信処理部１０４に、利用者が入力した出発階および行先階の情報の送信、および、受信した情報の通知部１０６への出力を指示する。各処理実行部１０３と対応する通信処理部１０４については後述する。
【００５２】
なお、処理実行部１０３は、通信処理部１０４を構成するためのプログラムを選択する構成であってもよい。この例の場合、記憶部１３は、第１通信処理部１０４Ａ、第２通信処理部１０４Ｂ、第３通信処理部１０４Ｃ、第４通信処理部１０４Ｄのそれぞれを構成するための複数のプログラムを記憶している。スマートフォン１は、処理実行部１０３によって選択されたプログラムをメモリにロードし、通信処理部１０４を構成する。
【００５３】
通信処理部１０４は、処理実行部１０３の指示に基づき、通信部１４を制御して、エレベータシステム２と無線通信を行わせる。通信処理部１０４は、第１通信処理部１０４Ａ、第２通信処理部１０４Ｂ、第３通信処理部１０４Ｃ、第４通信処理部１０４Ｄを含んでいる。これらの各通信処理部１０４は、通信部１４を制御して、対応するエレベータシステム２に、利用者が入力した出発階および行先階の情報を送信する。
【００５４】
また、通信処理部１０４は、通信部１４を介して、利用者が乗るべきエレベータを示す情報をエレベータシステム２から受信し、該情報を処理実行部１０３からの指示に従って通知部１０６へ出力する。
【００５５】
第１通信処理部１０４Ａ、第２通信処理部１０４Ｂ、第３通信処理部１０４Ｃ、第４通信処理部１０４Ｄは、それぞれ、第１エレベータシステム２Ａ、第２エレベータシステム２Ｂ、第３エレベータシステム２Ｃ、第４エレベータシステム２Ｄに対応している。具体的には、各エレベータシステム２は、無線通信における通信方式が互いに異なっており、各通信処理部１０４は、通信相手となるエレベータシステム２の通信方式に対応している。
【００５６】
通信方式が互いに異なるとは、あるエレベータシステム２とスマートフォン１とが通信する場合、この通信と同一の方法で、別のエレベータシステム２とスマートフォン１とが通信することができないということである。一例として、各エレベータシステム２は、通信規格および通信プロトコルの少なくともいずれかが異なる。例えば、第１エレベータシステム２Ａおよび第２エレベータシステム２Ｂの通信規格はＷｉＦｉ（登録商標）である一方、第３エレベータシステム２Ｃおよび第４エレベータシステム２Ｄの通信規格はＢｌｕｅｔｏｏｔｈ（登録商標）である。また、例えば、第１エレベータシステム２Ａおよび第３エレベータシステム２Ｃの通信プロトコルはＴＣＰ／ＩＰ（Transmission Control Protocol/Internet Protocol）である一方、第２エレベータシステム２Ｂおよび第４エレベータシステム２Ｄの通信プロトコルはＵＤＰ（User Datagram Protocol）である。
【００５７】
別の例として、各エレベータシステム２は、通信規格および通信プロトコルは同じであっても、スマートフォン１との通信に利用するデータフォーマットが異なっている。データフォーマットの違いについて、詳細は後述する。本開示では、２つのエレベータシステム２を比較したときに、通信規格、通信プロトコル、およびデータフォーマットのうち少なくとも何れかが異なることを、「通信方式が互いに異なる」と称する。なお、各エレベータシステム２の上記データフォーマットについて同一のものは無いため、「通信方式が互いに異なる」とは、「少なくともデータフォーマットが異なる」と表現してもよい。
【００５８】
なお、スマートフォン１の通信部１４は、複数の通信規格に応じた通信に対応可能な１つの通信部であってもよいし、各通信規格に応じた複数の通信部により構成されていてもよい。通信部１４は、スマートフォン１にインストールされているＯＳ（オペレーティングシステム、不図示）によって制御され、動作する。なお、通信処理部１０４の通信相手となる各エレベータシステム２が、共通の通信方式で通信を行う場合、通信処理部１０４は、複数の通信処理部を備えていなくてもよい。
【００５９】
以上のように、プログラム選択部１０２によるプログラムの選択に応じて、第１通信処理部１０４Ａ、第２通信処理部１０４Ｂ、第３通信処理部１０４Ｃ、第４通信処理部１０４Ｄのいずれかが選択されることとなる。つまり、プログラム選択部１０２は、通信処理部１０４のうちのいずれかを選択する、と表現することもできる。
【００６０】
通知部１０６は、選択された通信処理部１０４と、該通信処理部１０４と対応するエレベータシステム２との無線通信に基づき、利用者が乗るべきエレベータを利用者へ通知する。具体的には、通知部１０６は、通信処理部１０４から取得した情報に基づき、利用者が乗るべきエレベータを示す画像を生成し、表示部１２に表示させる。
【００６１】
利用情報取得部１０８（利用検知部、送信部）は、処理実行部１０３からエレベータの利用情報を取得し、自身のスマートフォン１の識別情報とともに、通信部１４を介してエレベータ利用記録データベース１１０に送信することにより、エレベータ利用記録データベース１１０に記録する。エレベータの利用情報は、例えば、エレベータ選択アプリ１３０を用いて利用者が登録した内容から取得することができる。なお、利用情報取得部１０８は、エレベータの利用情報を、利用者が利用しているエレベータとスマートフォン１との近距離無線通信により取得してもよい。
【００６２】
エレベータの利用情報とは、利用者が呼び登録を行った時刻、搭乗時刻、出発階、行先階、行先地等である。
【００６３】
（エレベータ利用記録データベース１１０の詳細）
次に、図５を参照して、エレベータ利用記録データベース１１０の詳細について説明する。上述したように、エレベータ利用記録データベース１１０は、スマートフォン１の識別情報と、当該スマートフォン１を所持した利用者が利用したエレベータの利用履歴とを対応付けて記憶している。なお、エレベータ利用記録データベース１１０には、スマートフォン１の識別情報とともに、当該スマートフォン１の所持者の属性情報を対応付けて予め記憶していてもよい。
【００６４】
属性情報を記憶しておくことにより、利用者の属性毎の利用状況を把握できるとともに、属性に応じたサービスの提供も可能となる。属性情報とは、例えば、利用者の年齢、性別、所属、その他特殊な事情（ＶＩＰ、身体障害者等）である。
【００６５】
図５に示すように、エレベータ利用記録データベース１１０には、スマートフォン１の識別情報、当該スマートフォン１の所持者の属性情報、エレベータの利用履歴が対応付けて記録されている。図５に示す例では、１列目に、識別情報「ＡＡ００１」、属性情報「年齢：６５、性別：男性、所属：○×商事、特殊：ＡＡＡ（ＶＩＰの意味）」、利用履歴「呼び登録時刻：2019/1/8 7:35:20、搭乗時刻：2019/1/8 7:37:20、待ち時間：2:00、出発階：１、行先階：１０、行先場所：○×商事」と対応付けて記録されている。これは、識別情報「ＡＡ００１」のスマートフォン１を所持者は、６５歳の男性で、○×商事に所属し、ＶＩＰであり、2019/1/8 7:35:20に呼び登録を行い、2019/1/8 7:37:20に、待ち時間２分で１階からエレベータに搭乗し、１０階で降りて、○×商事に行ったということを示している。
【００６６】
同様に、２列目には、識別情報「ＡＡ００２」、属性情報「年齢：３５、性別：女性、所属：○×商事、特殊：ＸＸＸ（身体障害者の意味）」、利用履歴「呼び登録時刻：2019/1/8 7:40:43、搭乗時刻：2019/1/8 7:41:23、待ち時間：0:40、出発階：１、行先階：１０、行先場所：○×商事」と対応付けて記録されている。これは、識別情報「ＡＡ００２」のスマートフォン１を所持者は、３５歳の女性で、○×商事に所属しており、身体障害者であり、2019/1/8 7:40:43に呼び登録を行い、2019/1/8 7:41:23に、待ち時間４０秒で１階からエレベータに搭乗し、１０階で降りて、○×商事に行ったということを示している。
【００６７】
以下、３列目以降も同様である。エレベータ利用記録データベース１１０に、このような情報を記録しておくことで、例えば、詳細な交通解析が可能となる。具体的には、「○×商事の社員の平均待ち時間」、「○×商事のＶＩＰユーザの待ち時間」、「店舗へ向かう人の待ち時間」などの一般的な交通解析では不可能な解析を行うことができる。
【００６８】
また、例えば、ビル内にいるユーザへのアナウンスに利用することもできる。具体的には、あるユーザについて、「出発階：１Ｆ（エントランス階）、行先階：１０Ｆ（オフィステナント階）」の情報が記録されている一方、同日に、「出発階：１０Ｆ（オフィステナント階、行先階：）１Ｆ（エントランス階）」の情報が記録されていない場合、そのユーザは現在ビル内にいると推測できる。例えば、災害が起こった時などに、ビル内にいると推測されるユーザの有無を特定し、このようなユーザがいる場合に避難を促すなどのアナウンスを行うことができる。
【００６９】
なお、図５に示す例では、属性情報も対応付けて記録しているが属性情報は必須ではない。また、属性情報として、年齢、性別、所属、および特殊（ＶＩＰ、身体障害者等）を含めているが、これらすべてが必須というわけではない。これらのうち、１つまたは任意の複数のみを記録するものであってもよい。また、利用履歴として、呼び登録時刻、搭乗時刻、待ち時間、出発階、行先階、行き先場所を含めているが、これらすべてが必須というわけではない。これらのうち、１つまたは任意の複数のみを記録するものであってもよい。
【００７０】
（スマートフォンがエレベータ選択処理を行う場合の処理の流れ）
図３は、スマートフォン１の制御部１０がエレベータ選択処理を実行する場合の処理の流れの一例を示すフローチャートである。図４は、図３に示すフローチャートに含まれる、プログラム選択処理の流れの一例を示すフローチャートである。
【００７１】
操作画面生成部１０５は、エレベータ選択アプリ１３０の起動に伴い構成され、操作画面を生成し、表示部１２に表示させる（Ｓ５１）。入力部１１は、出発階、行先階の入力を受け付ける（Ｓ５２）。
【００７２】
出発階および行先階を示す情報を取得したプログラム選択部１０２は、プログラム選択処理を実行する（Ｓ５３）。具体的には、プログラム選択部１０２は、エレベータ情報１３２を参照して、入力された出発階、行先階が１つのバンクでサービス可能であるか否かを判定する（Ｓ６１）。より具体的には、プログラム選択部１０２は、エレベータ情報１３２の各レコードに格納された情報から特定される、各バンクのサービス可能階に、出発階および行先階が含まれているか否かを判定する。
【００７３】
ステップＳ６１でＹＥＳ、すなわち、入力された出発階、行先階が１つのバンクでサービス可能であると判定した場合、プログラム選択部１０２は、入力された出発階、行先階におけるサービスが可能バンクに対応するプログラムを選択する（Ｓ６２〜Ｓ６８）。
【００７４】
プログラム選択部１０２によってエレベータ選択プログラム１３３のいずれかが選択された場合、プログラム選択処理は終了し、制御部１０ａが実行する処理は図３に示すフローチャートに戻る。
【００７５】
一方、ステップＳ６１でＮＯ、すなわち、入力された出発階、行先階が１つのバンクでサービス可能でないと判定した場合、プログラム選択部１０２は、プログラムを選択しない。プログラム選択部１０２は、入力された出発階および行先階からプログラムを選択できない旨を通知部１０６へ通知する。通知部１０６は、該通知を受けると、入力された出発階および行先階からはエレベータ選択処理が実行できないことを示す通知画面を生成し、表示部１２に表示する。これにより、通知部１０６は、入力された出発階および行先階からはエレベータ選択処理が実行できないことを利用者に通知する（Ｓ６９）。そして、制御部１０が実行する処理は図４に示すフローチャートのステップＳ５２へ戻る。
【００７６】
再び図３を参照して、スマートフォン１の制御部１０が実行する処理の流れの説明に戻る。選択されたプログラムにより、処理実行部１０３が構成されると（Ｓ５４）、該処理実行部１０３は、対応する通信処理部１０４に、利用者が入力した出発階および行先階の情報の送信を指示する。
【００７７】
該指示を受けた通信処理部１０４は、利用者が入力した出発階および行先階の情報を、対応するエレベータシステム２へ送信するためのデータフォーマットを生成する（Ｓ５５）。
【００７８】
通信処理部１０４は、生成したデータフォーマットにより、出発階、行先階の情報を対応するエレベータシステム２へ送信する（Ｓ５６）。そして、通信処理部１０４は、利用者が乗るべきエレベータを示す情報を、エレベータシステム２から受信する（Ｓ５７）。この送受信は、通信先のエレベータシステム２に対応する通信規格により行われる。例えば、第１通信処理部１０４ＡとＡ社製エレベータシステム２Ａとが情報の送受信を行う場合、情報の送受信は、Ａ社製エレベータシステム２Ａに対応する通信規格であるＷｉＦｉにより行われる。また、例えば、第３通信処理部１０４ＣとＣ社製エレベータシステム２Ｃとが情報の送受信を行う場合、情報の送受信は、Ｃ社製エレベータシステム２Ｃに対応する通信規格であるＢｌｕｅｔｏｏｔｈにより行われる。
【００７９】
エレベータシステム２は、出発階、行先階の情報を受信すると、該情報と、各エレベータの現在の位置、移動方向などの情報と、に基づき、利用者を最も早く行先階へ移動させることができるエレベータを特定する。そして、該エレベータを示す情報を、利用者が乗るべきエレベータを示す情報としてスマートフォン１へ送信する。
【００８０】
通信処理部１０４は、受信した情報を通知部１０６へ出力する。通知部１０６は、取得した情報に基づいて、乗るべきエレベータを利用者に通知する（Ｓ５８）。一例として、通知部１０６は、取得した情報に基づいて、乗るべきエレベータを利用者に通知する通知画面を生成し、表示部１２に表示させる。また、通知画面は、画像９１が示すエレベータが含まれるバンクを示すテキスト９２を含んでいてもよい。なお、画像９１のみで、ユーザが乗るべきエレベータが特定できる場合、通知画面はテキスト９２を含んでいなくてもよい。
【００８１】
（エレベータ利用記録データベース１１０に記録する処理の流れ）
次に、図６を参照して、エレベータの利用履歴をエレベータ利用記録データベース１１０に記録する処理の流れについて説明する。図６は、エレベータ利用記録データベース１１０に記録する処理の流れを示すフローチャートである。
【００８２】
図６に示すように、まず、スマートフォン１において、所持者の属性情報の入力を受け付ける（Ｓ７１）。なお、上述したように、属性情報の記録は必須ではない。そして、スマートフォン１からエレベータ利用記録データベース１１０に、当該スマートフォン１の識別情報と属性情報とを送信し、エレベータ利用記録データベース１１０に記録する。
【００８３】
次に、スマートフォン１の所持者がエレベータを利用すると、利用情報取得部１０８は、エレベータの利用情報を取得する（Ｓ７２）。次に、スマートフォン１は、スマートフォン１の所持者の行先場所の情報である行先情報を取得する（Ｓ７３）。行先情報の取得は、スマートフォン１の位置情報および予め記憶されている行先場所の位置情報を用いることにより取得できる。例えば、利用者の行先階に複数の店舗（行先候補値）が予め登録されており、当該複数の店舗から利用者が行った店舗を位置情報から特定し、行先情報とする。そして、利用情報取得部１０８は、利用情報および行き先情報をスマートフォン１の識別情報とともに、エレベータ利用記録データベース１１０に送信し、記録する（Ｓ７２）。なお、行き先情報の取得、送信は必須ではない。
【００８４】
（作用効果）
以上のように、本実施形態に係るエレベータ利用システム２００は、エレベータを利用する利用者が携帯可能であり、自機の識別情報を記憶した複数のスマートフォン１と、エレベータの運転状況を監視するエレベータシステム２と、スマートフォン１を携帯する利用者がエレベータを利用したとみなせる事象を検知する利用情報取得部１０８と、利用情報取得部１０８による利用検知に基づき、エレベータを利用したとみなされた利用者に関し、当該利用者の携帯するスマートフォン１の識別情報と、運転状況に基づき生成される当該利用者によるエレベータの利用状況を示す利用情報とを対応付けて記憶するエレベータ利用記録データベース１１０とを備える。
【００８５】
これにより、利用者の携帯するスマートフォン１の識別情報と当該利用者によるエレベータの利用状況を示す利用情報とが応付けてエレベータ利用記録データベース１１０に記憶されるので、利用者毎にエレベータの利用履歴を蓄積しておくことができる。よって、蓄積された情報に基づく種々のサービスを提供することができる。
【００８６】
また、本実施形態に係るエレベータ利用システム２００では、利用情報は、利用者のエレベータへの搭乗時刻、出発階及び行先階を示す情報を含むものであってもよい。これにより、時間帯別にエレベータにおける出発階から行先階までの交通量を把握することができる。また、時間帯毎の混雑度合に応じたエレベータの効率的な運用や、訪問者が多い階へ割り当てるエレベータを多くする等のオペレーションも行うことができる。
【００８７】
また、本実施形態に係るエレベータ利用システム２００では、利用情報は、行先階に位置するものとして予め登録された１つ又は複数の行先候補地のうちの何れに利用者が行ったかを示す情報を含むものであってもよい。これにより、行先候補地毎の交通量（利用者の量）を把握することができる。
【００８８】
また、本実施形態に係るエレベータ利用システム２００では、利用情報は、利用者が呼び登録を行った時刻、又は利用者が呼び登録を行った時刻から搭乗時刻までの待ち時間を示す情報を含むものであってもよい。これにより、待ち時間の分布を把握することができる。
【００８９】
また、本実施形態に係るエレベータ利用システム２００では、エレベータ利用記録データベース１１０は、複数のスマートフォン１それぞれに関し、識別情報と利用者の属性情報とを対応付けて記憶するものであってもよい。これにより、属性毎の利用者の交通量（利用者数）を把握することができる。また、属性毎に異なる運用を行うこともできる。
【００９０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００９１】
図７に、本実施形態におけるエレベータ利用システム２００の全体概要を示す。本実施形態におけるエレベータ利用システム２００では、スマートフォン１とエレベータ利用記録データベース１１０との間にエレベータ利用記録サーバ２１０が設けられ、エレベータ利用記録データベース１１０に関する処理をエレベータ利用記録サーバ２１０が行うものである。
【００９２】
さらに、エレベータ利用記録サーバ２１０には、搭乗抽出部２１１が含まれる。搭乗抽出部２１１は、エレベータ利用記録データベース１１０に記録されている情報から所望の情報を抽出するものである。
【００９３】
搭乗抽出部２１１は、例えば、特定の時刻にエレベータに搭乗中の利用者の識別情報、属性情報を抽出することができ、抽出した情報を任意の外部装置に送信することができる。
【００９４】
これにより、例えば、災害等によりエレベータが停止したときに、エレベータに搭乗中の利用者を特定することができる。
【００９５】
（作用効果）
本実施形態に係るエレベータ利用システム２００では、利用情報に基づき、特定時刻においてエレベータに搭乗中の利用者に対応する識別情報を抽出する搭乗抽出部２１１を備える。これにより、例えば地震等の災害時により停止したエレベータに搭乗中の利用者を特定することができる。
【００９６】
これにより、特定した利用者のスマートフォンに対し、「エレベータに乗車中ですか？」、「お怪我はありませんか？」などの通知を行うことができる。該通知に対し、利用者が返答可能な構成としてもよい。例えば、該通知を上記の文章を記載した画像とし、該画像に、利用者がタッチ可能なＵＩを含めておく。利用者が該インターフェースにタッチした場合、コメント入力画面がスマートフォンに表示される。これにより、利用者は、通知に対する返答を入力することができる。また例えば、該コメント入力画面に送信ボタン（ＵＩ）を含めておき、送信ボタンがタッチされた場合に、通知の送信先にコメントを送信できるようにしておけば、利用者は、自分の安否を送信もとに伝えることができる。
【００９７】
また、例えば、エレベータ利用システム２００においていたずらを行なっている利用者を特定し、警告することもできる。具体的には、過去の履歴を含め、同一出発階、同一行先階を一定の時間以内に繰り返し登録している利用者を特定することができる。例えば、該回数が所定値を上回った場合、いたずらを行なっているとみなし、特定した利用者のスマートフォンに対し、警告のメッセージを送信し、表示させてもよい。
【００９８】
〔変形例〕
スマートフォン１は、外部の装置と通信する際、他の情報処理装置、例えば、ビル内に設置されたＷｉＦｉインターフェース部を介して通信してもよい。また、スマートフォン１は、エレベータシステム２と通信する際、公衆通信網を介して通信してもよい。
【００９９】
スマートフォン１は、エレベータ情報１３２を用いて、エレベータを利用するための操作を利用者に行わせるための操作画面を生成する機能のみを有し、該操作に基づく処理、例えば、上述したエレベータ選択処理は、別の装置（情報処理装置）が行ってもよい。すなわち、スマートフォン１は、上記操作に基づく情報を該別の装置に送信し、該別の装置が、エレベータ選択処理を行い、処理の結果をスマートフォン１に送信してもよい。
【０１００】
この例において、該別の装置は、例えば、建物に設置されたサーバであってもよいし、クラウドサーバであってもよい。なお、該別の装置は、複数のスマートフォン１と通信する場合、各スマートフォン１に正しい処理の結果を送信するために、各スマートフォン１を識別しておく必要がある。例えば、該別の装置は、各スマートフォン１から情報を受信したときに、スマートフォン１のＩＰアドレスと、内部変数であるシーケンスナンバーとを対応付けて記憶しておけばよい。例えば、該別の装置は、情報を受信するごとに、シーケンスナンバーを１増やし（インクリメントし）、ＩＰアドレスと対応付けて記憶する。
【０１０１】
この例の場合、エレベータの利用情報のエレベータ利用記録データベース１１０への送信は、上述した実施形態１と同様に、スマートフォン１が行ってもよいし、上記別の装置が行ってもよい。前者の場合は、利用情報取得部１０８が、受信した処理の結果に基づくエレベータの利用情報をエレベータ利用記録データベース１１０へ送信する。後者の場合は、利用情報取得部１０８が上記別の装置に備えられており、該別の装置に備えられた処理実行部１０３からエレベータの利用情報を取得し、スマートフォン１の識別情報（例えばＩＰアドレス）とともに、エレベータ利用記録データベース１１０に送信する。
【０１０２】
各エレベータシステム２は、１つの情報処理装置、例えば、クラウドサーバ内の機能ブロックとして実現されてもよい。つまり、各エレベータシステム２は、ある情報処理装置内に構成された複数のエレベータ制御部であってもよい。
【０１０３】
各エレベータシステム２が、クラウドサーバ内に構成された複数のエレベータ制御部である場合、スマートフォン１は、例えば、通信相手として特定したエレベータ制御部を示す情報を含めたデータフォーマットをクラウドサーバへ送信する。通信相手として特定したエレベータ制御部を示す情報は、例えば、各エレベータ制御部に予め設定された識別情報（ＩＤ）であってもよい。クラウドサーバの制御部（不図示）は、受信したデータフォーマットに格納された該識別情報に基づいて、いずれのエレベータ制御部に、利用者が乗るべきエレベータを特定させるか、を決定（特定）する。換言すれば、スマートフォン１は、どの識別情報をデータフォーマットに含めるかを特定することで、複数のエレベータ制御部から１つのエレベータ制御部を特定する。
【０１０４】
該クラウドサーバは、１つの建物のエレベータを制御する複数のエレベータ制御部を１グループとし、該グループを複数有するものであってもよい。すなわち、複数の建物それぞれのエレベータの制御が、１つのクラウドサーバから行われるように構成されていてもよい。この例の場合、データフォーマットに格納される識別情報は、建物を示す部分と、エレベータ制御部を示す部分とからなる識別情報であってもよい。
【０１０５】
また、上述の実施形態では、スマートフォン１とエレベータシステム２との無線通信により、エレベータ選択処理を実行する例を説明したが、スマートフォン１とエレベータシステム２との無線通信により実行される処理は、エレベータ選択処理に限定されない。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０７】
〔付記事項〕
本発明の一側面に係る内容は、以下のとおり表現することもできる。
本発明の態様１に係るプログラム（エレベータ選択アプリ１３０）は、エレベータを利用する利用者が携帯可能であり、自機の識別情報を記憶した情報処理端末（スマートフォン１）への入力に基づき、実行されるプログラムである。前記プログラムは、前記情報処理端末を携帯する利用者が前記エレベータを利用したとみなせる事象を検知するステップと、前記検知するステップにおける利用検知に基づき、エレベータを利用したとみなされた利用者に関し、当該利用者の携帯する前記情報処理端末の識別情報と、前記エレベータの運転情報に基づき生成される当該利用者によるエレベータの利用状況を示す利用情報とを対応付けて、記憶装置（エレベータ利用記録データベース１１０）に送信するステップと、を実行させる。
【符号の説明】
【０１０８】
１  スマートフォン（情報処理端末、情報処理装置）
２（２Ａ、２Ｂ、２Ｃ、２Ｄ）  エレベータシステム（エレベータ監視部）
１１  入力部
１２  表示部
１３  記憶部
１４  通信部
１００  エレベータ情報データベース
１０２  プログラム選択部
１０３  処理実行部
１０４  通信処理部
１０５  操作画面生成部
１０６  通知部
１０８  利用情報取得部（利用検知部）
１１０  エレベータ利用記録データベース（記憶部、記憶装置）
１３０  エレベータ選択アプリケーションプログラム（プログラム）
２００  エレベータ利用システム
【図１】
2020121852.tif 000003
【図２】
2020121852.tif 000004
【図３】
2020121852.tif 000005
【図４】
2020121852.tif 000006
【図５】
2020121852.tif 000007
【図６】
2020121852.tif 000008
【図７】
2020121852.tif 000009